(57)【特許請求の範囲】
【請求項１】
便器上に回動自在に設置された便蓋に接続された第１の回動軸と、前記便器上に回動自在に設置された便座に接続され前記第１の回動軸が内部を延在する中空な第２の回動軸と、前記便蓋及び便座の回動を制動するよう前記第１及び第２の回動軸に作用するダンパーと、前記第１及び第２の回動軸並びに前記ダンパーを内蔵するケーシングと、を有する便座の自立保持機構であって、
前記第２の回動軸の外周面上に係止され該第２の回動軸と一体に回動する摺動部と、
前記ケーシングに前記第２の回動軸の回動方向に沿って制止されるよう係止され、前記第２の回動軸ないし前記便座の所定回動角度で前記摺動部と摺動自在なローラである被摺動部と、
前記被摺動部と前記ケーシングの間に、その軸周りに回転自在かつ該被摺動部と任意の部位で当接自在となるよう挿入され、前記摺動部が前記被摺動部と摺動する際、前記任意の部位と当接した該被摺動部を前記摺動部に向かって付勢することにより前記第２の回動軸及び前記便座の回動を一時的に制止する筒状弾性体と、
を有し、
前記筒状弾性体は、当接する前記ローラの自転により軸回りに回転する、ことを特徴とする便座の自立保持機構。
【請求項２】
前記筒状弾性体は、その径方向に弾縮自在であり、前記被摺動部は前記径方向に沿って変位自在であることを特徴とする請求項１記載の便座の自立保持機構。
【請求項３】
前記筒状弾性体が、少なくともその径方向に沿って弾性力を作用し、その内周面の任意の部位が前記被摺動部と当接自在なコイルバネであることを特徴とする請求項１又は２記載の便座の自立保持機構。
【発明の詳細な説明】
【技術分野】
【０００１】
本発明は、便座の自立保持機構に関し、特に、便器上に回動自在に設置された便蓋及び便座の回動を制動するダンパー装置に設けられた便座の自立保持機構に関する。
【背景技術】
【０００２】
特許文献１には、筒状の第１の回動軸及び該第１の回動軸内に同軸状に挿入された第２の回動軸にそれぞれ作用する第１及び第２の流体圧ダンパー機構を有するダンパー装置であって、前記第１の回動軸が第１と第２の回転可能範囲の間を移行するときにクリック感を発生させるクリック機構が提案されている。
【０００３】
図６は、特許文献１に開示された前記クリック機構を説明するための、従来例に係るダンパー装置における板ばね周辺の部分斜視図である。図６を参照すると、前記クリック機構は、前記ダンパー装置のケーシング５４に対して係止された固定ピン５０と、前記第２の回動軸５２に係止された回動ピン５１と、前記ダンパー装置のケーシング５４と一体であり第２の回動軸５２の周方向に対向する一対の凸部５４ａ，５４ｂと、一対の凸部５４ａ，５４ｂ間にＣ形状に圧縮介装され固定ピン５０を径方向内方、すなわち、内側の回動ピン５１に向かって付勢する板ばね５３と、を有する。
【０００４】
第２の回動軸５２が回動すると、所定の回動角度で、回動ピン５１は固定ピン５０と摺動して、固定ピン５０を径方向外方へ付勢する。固定ピン５０は、板ばね５３によって、回動ピン５１の方へ付勢されているから、回動ピン５１が固定ピン５０を乗り越えるときにクリック感が発生する。
【０００５】
【特許文献１】特開２００４−３０８８０４号公報
【発明の開示】
【発明が解決しようとする課題】
【０００６】
図６に示した従来例において、板ばね５３はその両端が、ケーシング５４に対して固定されているため、板ばね５３が固定ピン５０を付勢ないし当接する部位は、常時固定である。したがって、板ばね５３のこの当接部位が繰り返し応力を受けることにより集中的に磨耗したり疲労したりして、経時的に所望のクリック感が得られなくなるという問題がある。また、板ばね５３をＣ形状にして、一対の凸部５４ａ，５４ｂ間に位置決めをし組み付ける必要があるため、アセンブリに手間が掛かるという問題がある。
【０００７】
本発明の目的は、便器上に回動自在に設置された便蓋及び便座の回動を制動する便座の自立保持機構であって、耐久性が高く、アセンブリが容易な便座の自立保持機構を提供することである。
【課題を解決するための手段】
【０００８】
本発明は、第１の視点において、便器上に回動自在に設置された便蓋に接続された第１の回動軸と、前記便器上に回動自在に設置された便座に接続され前記第１の回動軸が内部を延在する中空な第２の回動軸と、前記便蓋及び便座の回動を制動するよう前記第１及び第２の回動軸に作用するダンパーと、前記第１及び第２の回動軸並びに前記ダンパーを内蔵するケーシングと、を有する便座の自立保持機構であって、前記第２の回動軸の外周面上に係止され該第２の回動軸と一体に回動する摺動部と、前記ケーシングに前記第２の回動軸の回動方向に沿って制止されるよう係止され、前記第２の回動軸ないし前記便座の所定回動角度で前記摺動部と摺動自在なローラである被摺動部と、前記被摺動部と前記ケーシングの間に、その軸周りに回動自在かつ該被摺動部と任意の部位で当接自在となるよう挿入され、前記摺動部が前記被摺動部と摺動する際、前記任意の部位と当接した該被摺動部を前記摺動部に向かって付勢することにより前記第２の回動軸及び前記便座の回動を一時的に制止する筒状弾性体と、を有し、前記筒状弾性体は、当接する前記ローラの自転により軸回りに回転する、ことを特徴とする便座の自立保持機構を提供する。
【発明の効果】
【０００９】
本発明によれば、筒状弾性体は、その軸周りの回動が規制されていないため、その任意の部位が被摺動部と当接するから、筒状弾性体が特定部位で集中磨耗したり疲労したりすることが防止され、便座の自立保持機構の耐久性が向上される。また、本発明によれば、筒状弾性体を便座の自立保持機構のケーシングにアセンブリするとき、その両端が規制される板ばねとは異なり（従来例参照）、規制する必要がなく、単に、筒状弾性体を所定箇所に挿入するだけでよいため、アセンブリがきわめて容易であり、本発明による便座の自立保持機構はアセンブリの自動化に適している。
【発明を実施するための最良の形態】
【００１０】
本発明の好ましい実施の形態において、前記筒状弾性体は、その径方向に弾縮自在であり、前記被摺動部は前記径方向に沿って変位自在である。この形態によれば、被摺動部が摺動部と摺動するとき、被摺動部は前記径方向外方に変位することにより、筒状弾性体から受ける径方向内方に向かう付勢力が増大し、安定した便座の自立保持力が得られる。
【００１１】
本発明の好ましい実施の形態においては、前記筒状弾性体が、少なくともその径方向に沿って弾性力を作用し、その内周面の任意の部位が前記被摺動部と当接自在なコイルバネとされる。これによって、本発明による便座の自立保持機構ないしダンパー装置を安価に製作することができる。
【００１２】
本発明の好ましい実施の形態においては、前記筒状弾性体の全体が一体の弾性材から形成される。
【００１３】
本発明の好ましい実施の形態において、本発明の便座の自立保持機構を他の便器上の開閉体に適用してもよい。
【００１４】
本発明の好ましい実施の形態において、一対の互いに摺動自在な摺動部と被摺動部の組み合わせは、第２の回動軸の回動方向に沿って所定間隔離間して複数箇所に配置される。
【実施例１】
【００１５】
以下、図面を参照して、本発明の一実施例を説明する。図１は、本発明によるダンパー装置における便座の自立保持機構が適用される便蓋及び便座の開閉装置の模式図である。図１を参照すると、開閉装置は、便器３１上で開閉する便座３２及び便蓋３３と、便座３２及び便蓋３３が急激に回動しないよう制動するダンパー装置３４を有している。
【００１６】
図２は、本発明の一実施例に係るダンパー装置における便座の自立保持機構の断面図である。図３は、図２のコイルバネ周辺を示す要部斜視図である。図４は、図１のダンパー装置の分解図である。
【００１７】
図１〜図４を参照すると、本発明の一実施例に係る便座の自立保持機構を有するダンパー装置３４は、便器３１上に回動自在に設置された便蓋３３に接続された第１の回動軸１と、便器３１上に回動自在に設置された便座３２に接続され第１の回動軸１が内部を延在する中空な第２の回動軸２と、便蓋３３及び便座３２の回動を制動するよう第１及び第２の回動軸１，２にそれぞれ作用するダンパー（４，１６及び１０，１５）と、少なくとも第１及び第２の回動軸１，２の一部並びにダンパー（４，１６及び１０，１５）を内蔵するケーシング（３，５，６，１１）と、を有している。
【００１８】
本発明の一実施例に係る便座の自立保持機構は、固定ローラ（被摺動部）２０及び回転ローラ（摺動部）２１と、コイルバネ（筒状弾性体）１３と、を有している。固定ローラ２０は、ケーシング（３，５，６，１１）に第２の回動軸２の回動方向に沿って制止されるよう係止され、第２の回動軸２ないし便座３２の所定回動角度で回転ローラ２１と摺動自在（摺動して自転自在）である。回転ローラ２１は、第２の回動軸２の外周面上に係止され第２の回動軸２と一体に回動する。なお、固定ローラ２０と回転ローラ２１の組み合わせは、互いに１８０度離間した角度で二組設けられている。
【００１９】
コイルバネ（筒状弾性体）１３は、固定ローラ２０とケーシング（３，５，６，１１）の間に、その軸周りに回動自在かつ固定ローラ２０と任意の部位で当接自在となるよう挿入されている。コイルバネ１３は、回転ローラ２１が固定ローラ２０と摺動する際、コイルバネ１３の前記任意の部位と当接する固定ローラ２０を回転ローラ２１に向かって付勢することにより、第２の回動軸２及び便座３２の回動を一時的に制止することができる。
【００２０】
図１及び図４を参照して、ダンパー装置３４のケーシング（３，５，６，１１）は、便座ボディ３、便座キャップ５、便蓋キャップ６及び便蓋ボディ１１が順に積層され、ねじ１７によって固定されることによって、一体化されている。互いに別体の便座キャップ５と便蓋キャップ６は、止め輪８によって先に一体化される。
【００２１】
便座３２用のダンパー（４，１６）には、第２の回動軸２の回動に伴って攪拌されるオイル１６と、オイル１６の流れを制御する弁４から構成される公知の流体ダンパー機構が用いられている。同様に、便蓋３３用のダンパー（１０，１５）には、第１の回動軸１の回動に伴って攪拌されるオイル１５と、オイル１５の流れを制御する弁１０から構成される公知の流体ダンパー機構が用いられている。
【００２２】
固定ローラ２０は、便座キャップ５の内部に、第２の回動軸２の回動方向に関して実質的に静止され、同径方向に関しては変位を許容するよう係止されている。一方、回転ローラ２１は、第２の回動軸２の先端に一体回動するよう係止されている。
【００２３】
便座キャップ５には、コイルバネ１３を収容する内部空間１４が形成されている。コイルバネ１３をアセンブルする際は、コイルバネ１３を規制する必要がないため、コイルバネ１３を便座キャップ５の内部空間１４に挿入し、便座キャップ５と便蓋キャップ６をねじ１７によって締結するだけで、コイルバネ１３のアセンブリが完了する。
【００２４】
以上説明した本発明の一実施例に係る便座の自立保持機構の動作を説明する。図５（Ａ）〜図５（Ｃ）は、図１の自立保持機構の動作図である。
【００２５】
図１〜図４及び図５（Ａ）を参照すると、便座３２の閉位置においては、固定ローラ２０と回転ローラ２１は、第２の回動軸２の回転方向に沿って約９０度離間している。
【００２６】
図１〜図４及び図５（Ｂ）を参照すると、便座３２がダンパー（４，１６）の作用を受けて制動されながら開かれ、第２の回動軸２が所定の回動角度に到達すると、回転ローラ２１は固定ローラ２０と摺動し、固定ローラ２０を径方向外方へ変位させる。このとき、固定ローラ２０は、コイルバネ１３から径方向内方に向かって作用する付勢力を受けるため、回転ローラ２１が固定ローラ２０を乗り越えるためには、より力を必要する。
【００２７】
コイルバネ１３は、その軸周りに規制されておらず、軸周りに自由に回転することができるため、コイルバネ１３の内周面において、固定ローラ２０と当接ないし摺動する部位は可変である。よって、コイルバネ１３の特定部位が偏磨耗したり疲労したりすることが防止され、耐久性が向上される。
【００２８】
図１〜図４及び図５（Ｃ）を参照すると、便座３２及び第２の回動軸２がさらに回動して、回転ローラ２１が固定ローラ２０を乗り越えて、固定ローラ２０と回転ローラ２１の摺動が解除されると、以降は、比較的小さな力で便座３２を開くことができる。したがって、第２の回動軸２ないし便座３２が、図５（Ｃ）の状態から図５（Ｂ）の状態に戻るためには、比較的大きな力が必要なため、図５（Ｂ）の状態以降、便座３２は、図５（Ｃ）の開位置より図５（Ａ）の閉位置に向かって回動することが防止され、すなわち、自立保持される。
【産業上の利用可能性】
【００２９】
本発明による便座の自立保持機構は、便座ないし便蓋が開閉される便器に好適に適用される。
【図面の簡単な説明】
【００３０】
【図１】本発明によるダンパー装置における便座の自立保持機構が適用される便蓋及び便座の開閉装置の模式図である。
【図２】本発明の一実施例に係るダンパー装置における便座の自立保持機構の断面図である。
【図３】図２のコイルバネ周辺を示す要部斜視図である。
【図４】図１のダンパー装置の分解図である。
【図５】（Ａ）〜（Ｃ）は、図１の自立保持機構の動作図である。
【図６】従来例に係るダンパー装置における板ばね周辺の部分斜視図である。
【符号の説明】
【００３１】
１  第１の回動軸（便蓋に接続）
２  第２の回動軸（便座に接続）
３  便座ボディ
４  弁
５  便座キャップ
６  便蓋キャップ
８  止め輪
９  便蓋ロータ
１０  弁
１１  便蓋ボディ
１３  コイルバネ（筒状弾性体）
１４  内部空間（バネ挿入空間）
１５  便蓋用のオイル
１６  便座用のオイル
１７  ねじ
２０  固定ローラ（被摺動部）
２１  回転ローラ（摺動部）
３１  便器
３２  便座
３３  便蓋
３４  ダンパー装置
（３，５，６，１１）  ケーシング
（４，１６）  ダンパー
（１０，１５）  ダンパー
【図１】
0005200431.tif 000002
【図２】
0005200431.tif 000003
【図３】
0005200431.tif 000004
【図４】
0005200431.tif 000005
【図５】
0005200431.tif 000006
【図６】
0005200431.tif 000007